(57)【特許請求の範囲】
【請求項１】
物品を収納可能とした箱状の本体の底面に車輪を設けるとともに、前記本体の底部と天井部との少なくともいずれか一方の外周にバンパを設けた物品収納台車において、
前記本体にはブラケットが設けられ、前記バンパの上端側が前記ブラケットに掛止されるとともに、下端側は、締結具を前記バンパの下面側からねじ込むことにより前記ブラケットに固定されていることを特徴とする物品収納台車。
【請求項２】
前記バンパにおける前記ブラケットに掛止される側の一部が前記本体に当接した状態で取付可能とされていることを特徴とする請求項１記載の物品収納台車。
【請求項３】
物品を収納可能とした箱状の本体の底面に車輪を設けるとともに、前記本体の底部と天井部との少なくともいずれか一方の外周にバンパを設けた物品収納台車において、
前記本体にはブラケットが設けられ、前記バンパの高さ方向の一側が前記ブラケットに掛止されるとともに、他側が前記ブラケットに締結具で固定されており、かつ前記バンパにおける前記ブラケットに掛止される側の一部が前記本体に当接した状態で取付可能とされていることを特徴とする物品収納台車。
【請求項４】
前記バンパの内面側にリブが形成され、このリブが前記ブラケットに当接されるようになっていることを特徴とする請求項１ないし請求項３のいずれかに記載の物品収納台車。
【請求項５】
物品を収納可能とした箱状の本体の底面に車輪を設けるとともに、前記本体の底部と天井部との少なくともいずれか一方の外周にバンパを設けた物品収納台車において、
前記本体にはブラケットが設けられ、前記バンパの高さ方向の一側が前記ブラケットに掛止されるとともに、他側が前記ブラケットに締結具で固定されており、かつ前記バンパの内部には、その上端側と下端側との間を埋めるようにして補強部材が装着されていることを特徴とする物品収納台車。
【請求項６】
前記バンパの内面側にリブが形成され、前記補強部材が前記リブに当接された状態で装着されていることを特徴とする請求項５記載の物品収納台車。
【請求項７】
物品を収納可能とした箱状の本体の底面に車輪を設けるとともに、前記本体の底部と天井部との少なくともいずれか一方の外周にバンパを設けた物品収納台車において、
前記本体にはブラケットが設けられ、前記バンパの高さ方向の一側が前記ブラケットに掛止されるとともに、他側が前記ブラケットに締結具で固定されており、かつ前記ブラケットが内外一対のブラケットにより構成され、両ブラケットはその間にパネルを挟んで共締めにより一体結合されていることを特徴とする物品収納台車。
【請求項８】
物品を収納可能とした箱状の本体の底面に車輪を設けるとともに、前記本体の底部と天井部との少なくともいずれか一方の外周にバンパを設けた物品収納台車において、
前記本体にはブラケットが設けられ、前記バンパの高さ方向の一側が前記ブラケットに掛止されるとともに、他側が前記ブラケットに締結具で固定されており、かつ前記本体の天井部上には、複数枚の周面パネルと天面パネルとを組み付けることで補助室が形成されるようになっており、前記周面パネルのうちの少なくとも一部が、前記本体の天井部に設けられた支持ブラケットに引っ掛けられて支持されていることを特徴とする物品収納台車。
【請求項９】
前記支持ブラケットが、前記バンパを掛止するためのブラケットと兼用されていることを特徴とする請求項８記載の物品収納台車。
【発明の詳細な説明】
【０００１】
【発明の属する技術分野】
本発明は物品収納台車に関し、特に物品収納台車に備えられたバンパの取付構造の改良に関する。
【０００２】
【従来の技術】
この種の物品収納台車の一例として病院等で使用される配膳車があり、このような配膳車では、移動中に誤って壁等にぶつけた場合にも本体が損傷を受けないように、本体の底部や天井部の外周にバンパが設けられている。
従来のバンパとしては、一枚の帯状のものを全周にわたって巻き付け、押さえ板を介して本体の側面にネジで止める構造のものが一般に知られている。
【０００３】
【発明が解決しようとする課題】
しかしながら従来のものでは、バンパを本体に強固に取り付けるためには、多数の箇所においてネジ止めをする必要があり、それだけ取り付けの作業に手間が掛かるという問題があった。
本発明は上記のような事情に基づいて完成されたものであって、その目的は、バンパの取り付けを能率良く行えるようにするところにある。
【０００４】
【課題を解決するための手段】
上記の目的を達成するための手段として、請求項１の発明は、物品を収納可能とした箱状の本体の底面に車輪を設けるとともに、前記本体の底部と天井部との少なくともいずれか一方の外周にバンパを設けた物品収納台車において、前記本体にはブラケットが設けられ、前記バンパの上端側が前記ブラケットに掛止されるとともに、下端側は、締結具を前記バンパの下面側からねじ込むことにより前記ブラケットに固定されているところに特徴を有する。
請求項２の発明は、請求項１に記載のものにおいて、前記バンパにおける前記ブラケットに掛止される側の一部が前記本体に当接した状態で取付可能とされているところに特徴を有する。
請求項３の発明は、物品を収納可能とした箱状の本体の底面に車輪を設けるとともに、前記本体の底部と天井部との少なくともいずれか一方の外周にバンパを設けた物品収納台車において、前記本体にはブラケットが設けられ、前記バンパの高さ方向の一側が前記ブラケットに掛止されるとともに、他側が前記ブラケットに締結具で固定されており、かつ前記バンパにおける前記ブラケットに掛止される側の一部が前記本体に当接した状態で取付可能とされているところに特徴を有する。
請求項４の発明は、請求項１ないし請求項３のいずれかに記載のものにおいて、前記バンパの内面側にリブが形成され、このリブが前記ブラケットに当接されるようになっているところに特徴を有する。
【０００５】
請求項５の発明は、物品を収納可能とした箱状の本体の底面に車輪を設けるとともに、前記本体の底部と天井部との少なくともいずれか一方の外周にバンパを設けた物品収納台車において、前記本体にはブラケットが設けられ、前記バンパの高さ方向の一側が前記ブラケットに掛止されるとともに、他側が前記ブラケットに締結具で固定されており、かつ前記バンパの内部には、その上端側と下端側との間を埋めるようにして補強部材が装着されているところに特徴を有する。
請求項６の発明は、請求項５に記載のものにおいて、前記バンパの内面側にリブが形成され、前記補強部材が前記リブに当接された状態で装着されているところに特徴を有する。
請求項７の発明は、物品を収納可能とした箱状の本体の底面に車輪を設けるとともに、前記本体の底部と天井部との少なくともいずれか一方の外周にバンパを設けた物品収納台車において、前記本体にはブラケットが設けられ、前記バンパの高さ方向の一側が前記ブラケットに掛止されるとともに、他側が前記ブラケットに締結具で固定されており、かつ前記ブラケットが内外一対のブラケットにより構成され、両ブラケットはその間にパネルを挟んで共締めにより一体結合されているところに特徴を有する。
【０００６】
請求項８の発明は、物品を収納可能とした箱状の本体の底面に車輪を設けるとともに、前記本体の底部と天井部との少なくともいずれか一方の外周にバンパを設けた物品収納台車において、前記本体にはブラケットが設けられ、前記バンパの高さ方向の一側が前記ブラケットに掛止されるとともに、他側が前記ブラケットに締結具で固定されており、かつ前記本体の天井部上には、複数枚の周面パネルと天面パネルとを組み付けることで補助室が形成されるようになっており、前記周面パネルのうちの少なくとも一部が、前記本体の天井部に設けられた支持ブラケットに引っ掛けられて支持されているところに特徴を有する。
請求項９の発明は、請求項８に記載のものにおいて、前記支持ブラケットが、前記バンパを掛止するためのブラケットと兼用されているところに特徴を有する。
【０００７】
【発明の作用及び効果】
＜請求項１の発明＞
バンパは幅方向の上端側が本体に設けられたブラケットに掛止されるとともに、下端側がネジ等の締結具を下面側からねじ込むことでブラケットに固定される。バンパを本体に強固に取り付けることができた上で、締結具による固定箇所が少なくて済むから、能率良く取り付けることができる。
＜請求項２，３の発明＞
バンパにおける掛止される側の一部を本体に当接させるようにしたから、バンパに外側から衝撃力が加わっても、簡単に内側にへこむことが避けられる。
＜請求項４の発明＞
バンパが内側にへこむことをより強固に防止できる。
【０００８】
＜請求項５の発明＞
バンパの内部において上端側と下端側との間を埋めるようにして補強部材が装着されているから、例えばフォークリフト等で本体を持ち上げた場合に、バンパが上下方向に潰れることが防がれる。
＜請求項６の発明＞
補強部材をバンパが内側にへこむのを防止するように機能させることができる。
＜請求項７の発明＞
本体にパネルを取り付ける場合に、一対のブラケットの組み付けとともにパネルの取り付けを行うことができる。
【０００９】
＜請求項８の発明＞
周面パネルの少なくとも一部の組み付けを本体に設けた支持ブラケットに引っ掛ける構造としたから、補助室の構築を能率良く行うことができる。
＜請求項９の発明＞
周面パネルをバンパ掛止用のブラケットに兼用して引っ掛ける構造としたから、部品点数の削減を図ることができる。
【００１０】
【発明の実施の形態】
以下、本発明を温冷配膳車に適用した実施形態を添付図面に基づいて説明する。
＜第１実施形態＞
本発明の第１実施形態を図１ないし図２４によって説明する。この実施形態の温冷配膳車は、図１に示すように、全体として矩形箱状をなす貯蔵室本体１（以下、単に本体という）を備えており、この本体１は前後両面が開放された形状で、天井壁、底壁並びに左右の側壁内に発泡ウレタン等の断熱材を充填した断熱箱体として構成されている。本体１の底面にはキャスタ２が装備されているとともに、上面には機械室３が設けられ、また本体１の底部と天井部の回りには、詳しくは後記するように、それぞれ下部バンパ４と上部バンパ５とが設けられている。
【００１１】
本体１内の幅方向の中央部には、図２に示すように、冷風のダクトを兼ねた中間壁６が設けられて内部が左右２室に分けられており、さらに左右の２室では、その幅方向の中央部よりも少し中間壁６側に寄った位置に、断熱性の仕切壁７が設けられている。これにより、中間壁６を挟んだ両側に冷蔵室１０が、各冷蔵室１０の仕切壁７を挟んだ外側に、冷蔵室１０よりも少し間口の大きい温蔵室１１がそれぞれ構成されている。両冷蔵室１０には、冷却器室１２内で生成された冷気が中間壁６を通して循環供給されて冷却され、一方温蔵室１１には、温蔵ユニット１３で生成された暖気が側壁に設けられた加熱室を介して供給されて加熱されるようになっている。
上記した冷蔵室１０と温蔵室１１とは左右に隣り合ったもの同士が対をなし、それぞれに観音開き式の断熱扉１４が設けられている。
【００１２】
仕切壁７は、基台１６上に、図示７個の単位仕切壁１７を所定の挿入溝１８が構成されるように積み上げて連結することで形成されている。また中間壁６の左右両面には、トレイ受け１９が図示７段にわたって左右の冷蔵室１０側に突出した水平姿勢で取り付けられている一方、両温蔵室１１の側壁にも、同一高さごとに同数のトレイ受け１９が取り付けられている。
トレイ２０は、図１に示すように、プラスチック等で横長の矩形状に形成され、横幅の中央部よりも少し一側に寄った位置に境界部２０Ａが設けられて、境界部２０Ａを挟んだ狭い方に冷たい状態で供される食品が、広い方に温かい状態で供される食品がそれぞれ載置される。このトレイ２０は、境界部２０Ａが仕切壁７の挿入溝１８に挿入され、その両端の下面がトレイ受け１９で受けられつつ押し込まれて収容される。これにより、一つのトレイ２０に載せられた冷食が冷蔵室１０に、温食が温蔵室１１にそれぞれ収容されて、冷蔵または温蔵がなされるようになっている。
【００１３】
続いてバンパ４，５の構造並びに取付手順について説明する。まず、下部バンパ４側について説明する。この下部バンパ４はポリプロピレン等のプラスチック製であって、図４に示すように、本体１の長辺側の側面に配される一対の第１サイドバンパ２１と、短辺側の側面に配される一対の第２サイドバンパ２２と、角部に配される４個のコーナバンパ２３とから構成されており、上記のうち一方の第２サイドバンパ２２（図４の右側）は、間にフットブレーキ２４の操作用空間２５（図３参照）を設けるべくさらに２個に分けられている。
【００１４】
第１サイドバンパ２１は、図５に示すように、全体として高さ寸法の大きいチャンネル形に形成されており、長さ方向の両端寄りの２箇所に、後記するブラケット３５への取付位置が設定されている。第１サイドバンパ２１の断面形状は、図９にも示すように、その内面の中央部から下端部の領域にかけて３本の短寸のリブ２７が間隔を開けて形成されている。上辺２１Ａからは、一番上のリブ２７の少し上の位置まで垂下板２８が形成され、その下端が外側に直角曲げされたのち、さらに上側に直角曲げされて被掛止部２９が形成されている。また垂下板２８の途中位置から外方に向けて突当板３０が直角に突設され、その先端は上辺２１Ａの端縁よりも突出している。
【００１５】
第１サイドバンパ２１における取付位置には、金属製の補強板３１が装着されている。この補強板３１は、図５及び図９に示すように、第１サイドバンパ２１における垂下板２８と下辺２１Ｂとの間に丁度嵌まる高さを持っており、底板３１Ａの背面側の端縁から側板３１Ｃを備えた縦板３１Ｂが立ち上がって形成され、縦板３１Ｂの上縁は斜め前方に突出している。この補強板３１は、第１サイドバンパ２１の端部側から挿入され、詳細には図９に示すように、縦板３１Ｂの背面をリブ２７に当て、また突部３２の先端を垂下板２８の背面に当てて挿入され、取付位置において、底板３１Ａと下辺２１Ｂとの間をネジ３３で止めることにより予め固定されるようになっている。
【００１６】
一方、本体１の長辺側の両側縁の下面には、長さ方向の両端部に寄った位置にブラケット３５が取り付けられている。このブラケット３５は、図５に示すように、金属板を曲げ成形することにより、全体として外面側（図５の手前側）に開口した箱形に形成され、両側面の上縁が直角曲げされることで一対の上取付板３５Ａが形成されているとともに、底面の先端が出っ張って下取付板３５Ｂとされている。また上面の手前側の縁部からは、下向きに被突当板３６が形成され、その下端が下取付板３５Ｂの先端と対応する位置まで前方に延出されたのち、下向きに曲げられることで掛止部３７が形成されている。このブラケット３５が、図９に示すように、上取付板３５Ａを本体１の下面に当ててボルト３８で止めることによって固定されるようになっている。
なお、補強板３１の装着された第１サイドバンパ２１が図９の矢線に示すようにブラケット３５側に押し込まれ、突当板３０の先端が被突当板３６に当てられると（図１０）、被掛止部２９が掛止部３７のすぐ裏側に入り込むとともに、下取付板３５Ｂの先端が側板３１Ｃの端縁に突き当たり、また上辺２１Ａの先端が本体１の側面の延長面上に位置する設定となっている。
【００１７】
第２サイドバンパ２２は、上記の第１サイドバンパ２１と同じ形状のものを短く切断して用いており、図４に示すように、２分割された方では１箇所ずつに取付位置が、もう一方の一本ものの方では、長さ方向の両端寄りの位置の２箇所にそれぞれ取付位置が設定され、それらの取付位置に補強板３１が取り付けられ、また本体１の下面に予め固定されたブラケット３５に取り付けられることは、上記の第１サイドバンパ２１と同様である。
【００１８】
コーナバンパ２３は、図６に示すように、上記の第１サイドバンパ２１と同じ高さ寸法を持ち、２枚の側壁４０を直交状に配し、かつその角の部分に丸みを付けた形状となっている。このコーナバンパ２３における互いに直交した両端面には、差込片４１が突設されている。この差込片４１は、図７にも示すように、上記した第１及び第２のサイドバンパ２１，２２の端部における垂下板２８の裏側の領域に差し込み可能となっている。この差込片４１の差し込まれる領域が、本発明の差込溝４２に相当する。
なお、差込片４１は、その背面側にリブ２７を逃がす逃がし凹部４３が形成されているとともに、差込片４１は、コーナバンパ２３の端面のうちで、下端側を少し余して上端寄りに形成されており、したがって差込片４１は、差込溝４２内で所定寸法の上下動可能となっている。
【００１９】
コーナバンパ２３の内面には、金属製のストッパ板４５が取り付けられるようになっている。このストッパ板４５は、図６に示すように、底板４５Ａの背面側の端縁から、側板４５Ｂ付きの縦板４５Ｃが立ち上がって形成されている。側板４５Ｂの先端側は斜め外側に開かれている。縦板４５Ｃの上縁は直角曲げされて上板４５Ｄが形成されており、この上板４５Ｄの先端縁は略三角形に切り欠かれていて、この切欠部の奥に、被掛止部４６が立ち上がって形成されている。
このストッパ板４５は、コーナバンパ２３の内面に突設されたネジ孔４９の切られたボス４８に当てられ、図１３にも示すように、ネジ５０を縦板４５Ｃの挿通孔５１に通してネジ孔４９にねじ込むとともに、底板４５Ａとコーナバンパ２３の下辺２３Ａとをネジ５２で止めることにより予め固定されるようになっている。
【００２０】
一方、本体１の下面の角の部分にはブラケット５４が取り付けられている。このブラケット５４は、図６に示すように、２枚の側板５５が直交状に配され、両側板５５の上縁には、内側に直角曲げされた上取付板５４Ａが形成されているとともに、下縁には、外側に直角曲げされた下取付板５４Ｂが形成されている。この下取付板５４Ｂがストッパ板４５の底板４５Ａの上に重なるようになっている。また、両側板５５の角の部分の上端部寄りの位置には、上記したストッパ板４５の被掛止部４６を挿通可能とするストッパ孔５６が開口されている。
このブラケット５４が、図１３に示すように、上取付板５４Ａを本体１の下面の角の部分に当ててボルト５７で止めることにより、予め固定されるようになっている。
【００２１】
続いて、下部バンパ４の取付手順について説明する。
まず本体１の下面の所定位置に、第１サイドバンパ２１、第２サイドバンパ２２並びにコーナバンパ２３を取り付けるためのブラケット３５，５４が取り付けられる。初めに図８に示すように、第１サイドバンパ２１が取り付けられる。そのため、第１サイドバンパ２１の両取付位置には、既述した要領で補強板３１が装着される。このように補強板３１の装着された第１サイドバンパ２１は、図９に示すように、被掛止部２９がブラケット３５の掛止部３７よりも下に来る高さ位置において、同図の矢線に示すようにブラケット３５側に向けて押し込まれ、図１０に示すように、突当板３０の先端がブラケット３５の被突当板３６に突き当たり、また補強板３１の側板３１Ｃがブラケット３５の下取付板３５Ｂに突き当たることで押し込みが停止される。続いて、突き当てた状態のまま、図１０の矢線に示すように第１サイドバンパ２１を上方に摺動させ、補強板３１の底板３１Ａがブラケット３５の下取付板３５Ｂの下面に重なったところで、図１１に示すように上動が停止されるので、第１サイドバンパ２１と補強板３１の挿通孔５９にボルト６０を下面側から挿通して、ブラケット３５の下取付板３５Ｂに切られたネジ孔６１にねじ込んで固定する。このとき、被掛止部２９がブラケット３５の掛止部３７の裏側に引っ掛かり、上辺２１Ａの先端が本体１の側面に当接した状態となる。
【００２２】
次に、図１２に示すように、第２サイドバンパ２２とコーナバンパ２３とが一体的に取り付けられる。第２サイドバンパ２２の取付位置には予め補強板３１が取り付けられるとともに、コーナバンパ２３の内面にはストッパ板４５が固定される。また、１本ものの第２サイドバンパ２２には、その両端において差込片４１を差込溝４２に差し込むことによりコーナバンパ２３が一体接続される。分割された方の第２サイドバンパ２２では、その外方側の端部に、同様に差込片４１を差込溝４２に差し込むことでコーナバンパ２３が一体接続される。
【００２３】
このようにコーナバンパ２３を一体接続した第２サイドバンパ２２は、上記した第１サイドバンパ２１と同じく、正規の取付位置よりも低い位置においてブラケット３５側に押し込み、突き当たったのちは上方に摺動される。上記の第２サイドバンパ２２の押し込みに伴い、コーナバンパ２３に装着されたストッパ板４５の被掛止部４６が、図１３の矢線に示すように、ブラケット５４のストッパ孔５６内に挿入されるとともに、コーナバンパ２３の反対側の差込片４１が、先に取り付けられている第１サイドバンパ２１の対応する端部の差込溝４２の下部側に差し込まれる。そして第２サイドバンパ２２の上方への摺動に伴い、差込片４１が差込溝４２の上部側に移動するとともに、図１４に示すように、被掛止部４６がストッパ孔５６の上側の側縁に掛止された状態となって抜け止めされる。
最後に、第２サイドバンパ２２については、第１サイドバンパ２１と同じくブラケット３５の下取付板３５Ｂにボルト６０をネジ込むことで固定され、またコーナバンパ２３についても、図６，１４に示すように、ストッパ板４５の挿通孔６３にボルト６２を通してブラケット５４の下取付板５４Ｂのネジ孔６４にねじ込むことで固定される。
【００２４】
このように下部バンパ４を取り付けるに当たっては、サイドバンパ２１，２２、コーナバンパ２３ともに、上端側をブラケット３５，５４に引っ掛け、下面側でネジ止めするだけであって、ネジ止め箇所が少なくて済むことから、能率良く組み付けることができる。また、それらのネジ止め箇所は、下面側であって正面からは見えないから、見栄えもよい。
また、サイドバンパ２１，２２とコーナバンパ２３との接続部分の構造が、コーナバンパ２３に突設された差込片４１をサイドバンパ２１，２２の端部の差込溝４２に差し込む構造としたから、接続作業自体が簡単にでき、またネジ等が見えることもなく、段差もできないから、外観がすっきりとまとまる。
しかもコーナバンパ２３は、第２サイドバンパ２２に予め接続しておいて、第２サイドバンパ２２の組み付けに伴って組み付けられるようになっているから、組み付けの作業がより能率的に行われる。
【００２５】
また、サイドバンパ２１，２２の組み付け部分では、図１１に示されるように、被掛止部２９がブラケット３５の掛止部３７に引っ掛かっていることで、上部側が手前側へ倒れることが防止される。また、上辺２１Ａが本体１の側面に、また突当板３０が被突当板３６に当たっていることで、サイドバンパ２１，２２に外面側から衝撃力が加わっても、簡単に内側にへこむようなことはない。さらに、垂下板２８と下辺２１Ｂとの間に挟まれた状態で補強板３１が配されているから、例えばフォークリフト等で本体１を持ち上げた場合に、サイドバンパ２１，２２が上下方向に潰れることが防がれる。
【００２６】
さらに、サイドバンパ２１，２２の内側に補強板３１を装着する当たっては、サイドバンパ２１，２２の内面にリブ２７を突設して、これらのリブ２７を補強板３１の背面に当てるようにしたから、補強板３１はサイドバンパ２１，２２の内側へのへこみ防止をすることにも有効に機能する。
また、コーナバンパ２３の内面にストッパ板４５を取り付ける当たっては、コーナバンパ２３の内面にボス４８を突設して、ストッパ板４５をそのボス４８に当ててネジ５０で固定するようにしたから、コーナバンパ２３の補強を図かることができる。
【００２７】
次に、上部バンパ５側について説明する。この上部バンパ５は、同様にポリプロピレン等のプラスチック製であって、図１５に示すように、本体１の長辺側の側面に配される一対の第１サイドバンパ７１と、短辺側の側面に配される一対の第２サイドバンパ７２と、角部に配される４個のコーナバンパ７３とから構成されており、これらの各バンパ７１〜７３は、全体としては、上記した下部バンパ４と比べて背が低く形成されている。
第１サイドバンパ７１は、図１６に示すように、全体としてチャンネル形に形成されており、その上辺７１Ａの先端が下向きに屈曲されて、被掛止板７５が形成されている。この被掛止板７５の長さ方向の両端寄りの２箇所には、切欠溝７６が形成されている。下辺７１Ｂは、上辺７１Ａに比べて前方に突出している。また内面には、２条のリブ７７が形成されている。
【００２８】
本体１の長辺側の両側縁の上面には、長さ方向の両端部に寄った位置に内外一対のブラケット７９，８０が取り付けられている。内ブラケット７９は短寸のアングル状に形成され、図１７に示すように、その底面が本体１の上面に予めネジ８１で固定されるようになっている。外ブラケット８０は、チャンネル形の本体部の上面の先端から、掛止板８２を上向きに形成した形状となっている。この外ブラケット８０は、内ブラケット７９と背中合わせの姿勢で配され、図１７に示すように、前記した機械室３を構成する長辺側のパネル３Ａの脚片８３が、両ブラケット７９，８０の間に挿入され、外ブラケット８０と脚片８３とに形成された挿通孔８４に通したネジ８５を、内ブラケット７９に形成されたネジ孔８６にねじ込むことによって、内ブラケット７９に対して、パネル３Ａの脚片８３と外ブラケット８０とが共締めされて固定されるようになっている。
なお図１７に示すように、外ブラケット８０の掛止板８２とパネル３Ａの底部８８の外面との間には、第１サイドバンパ７１の被掛止板７５が入り込むことが可能な空隙８９が形成されるようになっている。
【００２９】
第２サイドバンパ７２は、上記の第１サイドバンパ７１と比べて、図１８に示すように、下辺７２Ｂを上辺７１Ａとほぼ同じ突出長さにしてある点で相違している。また、被掛止板７５に切欠溝は形成されていない。第２サイドバンパ７２の長さ方向の両端寄りの位置には、ブラケット９１の取付位置が設定されている。ブラケット９１は、同図に示すように短寸のアングル状に形成され、縦板９１Ａの上端には、斜め下方に突出した掛止板９２が形成されている。このブラケット９１は、図１８の矢線に示すように、第２サイドバンパ７２の端部側から挿入され、取付位置において、底板９１Ｂと第２サイドバンパ７２の下辺７２Ｂとの間でネジ９３で止めることにより予め固定される。このときブラケット９１は、図２４に示すように、縦板９１Ａがリブ７７に当てられ、また掛止板９２が被掛止板７５の内側に入り込むようになっている。
【００３０】
コーナバンパ７３は、図１９に示すように、上記のサイドバンパ７１，７２と同じ高さ寸法を持ち、２枚の側壁９５を直交状に配し、かつその角の部分に丸みを付けた形状となっている。２枚の側壁９５のうち、第２サイドバンパ７２と接続される側の方（図２１の左側）が、第１サイドバンパ７１と接続される側と比べて長くされている。このコーナバンパ７３における互いに直交した両端面には差込片９６が突設されている。この差込片９６は、図２１にも示すように、上記した第１及び第２のサイドバンパ７１，７２の端部における奥側の領域（差込溝９７）に差し込み可能となっている。なお、両差込片９６には、リブ７７を逃がす逃がし凹部９８が形成されている。
【００３１】
コーナバンパ７３の内面には、金属製のブラケット１００が予め取り付けられるようになっている。このブラケット１００は、互いに直交する２枚の側板１０１を備え、両側板１０１の角の部分は、両側板１０１に対して４５度の角度をなす取付板１０２が形成されている。また、両側板１０１の下縁の間を結ぶようにして底板１０３が形成されている。
【００３２】
このブラケット１００は、取付板１０２がコーナバンパ７３の内面に突設されたネジ孔１０６の切られたボス１０５に当てられ、図２０に示すように、ネジ１０７を取付板１０２の挿通孔１０８に通してネジ孔１０６にねじ込むことにより、予め固定されるようになっている。このとき、ブラケット１００の両側板１０１は、コーナバンパ７３の差込片９６の前面の位置において、差込片９６の側方にさらに突出した状態となる。この側板１０１は、サイドバンパ７１，７２における被掛止板７５の内側の部分（図２１に符号１１０で示す部分）に挿入可能となっている。
【００３３】
続いて、上部バンパ５の取付手順について説明する。
まず本体１の上面における長辺側の側縁に、第１サイドバンパ７１を取り付けるための内ブラケット７９を取り付ける。そして、既述したように、機械室３を構成する長辺側のパネル３Ａの脚片８３を内ブラケット７９の外側に当て、さらにその外側に外ブラケット８０を当てて、ネジ８５で共締めして固定する。次に第１サイドバンパ７１を、その被掛止板７５の切欠溝７６を外ブラケット８０の掛止板８２の位置に合わせて押し込む（図１６の矢線Ｘ）。そうすると第１サイドバンパ７１は、その下辺７１Ｂが両ブラケット７９，８０の底板の下面に沿い、また掛止板８２が切欠溝７６を相対的に通過しつつ押し込まれ、図１７に示すように、下辺７１Ｂの先端が本体１の側面に当たり、また被掛止板７５がパネル３Ａの底部８８の外面に当たることで押し込みが停止され、被掛止板７５は空隙８９内に入り込んだ状態となる。
次に、図１６の矢線Ｙに示すように、第１サイドバンパ７１を長さ方向に沿って移動させると、掛止板８２が切欠溝７６の側方における被掛止板７５の裏面側に回り込んで掛止される。そうしたら、第１サイドバンパ７１の下辺７１Ｂの挿通孔１１２にネジ１１３を下面側から挿通して、外ブラケット８０の底板に切られたネジ孔１１４にねじ込んで固定する。これにより、第１サイドバンパ７１の取り付けが完了する。
【００３４】
次に、第２サイドバンパ７２とコーナバンパ７３とが一体的に取り付けられる。これに際しては、まず、第２サイドバンパ７２の取付位置にブラケット９１が予め取り付けられるとともに、コーナバンパ７３の内面にもブラケット１００が予め取り付けられる。そして、第２サイドバンパ７２の両端にコーナバンパ７３が差し込まれる。詳細には、図２１の左側に示すように、ブラケット１００の側板１０１が被掛止板７５の内側部分１１０に入り込むとともに、差込片９６が差込溝９７に差し込まれて結合され、これにより図２２に示すように、両端にコーナバンパ７３を接続した第２サイドバンパ７２が構成される。
【００３５】
このようにコーナバンパ７３を両端に一体接続した第２サイドバンパ７２は、図２３に示すように、先に取り付けられている第１サイドバンパ７１と同じ高さにおいて、本体１の天井部における短辺側の側面に向けて押し込まれる。それに伴い、コーナバンパ７３の反対側の端部に設けられた側板１０１と差込片９６とが、図２１の右側に示すように、先に取り付けられている第１サイドバンパ７１の対応する端部における被掛止板７５の内側部分１１０と差込溝９７とに差し込まれる。そして、図２４に示すように、第２サイドバンパ７２の下辺７２Ｂが本体１の側面に当たり、被掛止板７５がパネル３Ａの底部８８に当たることで押し込みが停止される。このとき、第２サイドバンパ７２及びコーナバンパ７３のブラケット９１，１００の底板９１Ｂ，１０３は、それぞれ本体１の上面に載る。そして、それぞれのブラケット９１，１００の底板９１Ｂ，１０３を上面側から本体１の上面にネジ１１５で止めることにより、第２サイドバンパ７２とコーナバンパ７３との取り付けが併せて完了する。
続いて、機械室３を構成する短辺側のパネル３Ｃの脚片１１６を、図２４に示すように第２サイドバンパ７２の被掛止板７５の内側に差し込んで短辺側のパネル３Ｃを被せ、長辺側のパネル３Ａの側縁と合わせて結合する。最後に、長辺側のパネル３Ａの上縁の間に、天板を構成するパネル３Ｂを張ることによって、機械室３の外装も完成される。
【００３６】
このように上部バンパ５を本体１に取り付けるに当たっては、サイドバンパ７１，７２、コーナバンパ７３ともに、結果として本体１に固定されたブラケット８０，９１及び１００に上端側を引っ掛け、下面側でネジ止めするだけであって、ネジ止め箇所が少なくて済むことから、能率良く組み付けることができる。また、それらのネジ止め箇所は、下面側であって正面から見えないから、見栄えもよい。
【００３７】
また、サイドバンパ７１，７２とコーナバンパ７３との接続部分の構造が、コーナバンパ７３に突設された差込片９６をサイドバンパ７１，７２の端部の差込溝９７に差し込む構造としたから、接続作業自体が簡単にでき、またネジ等が見えることもなく、段差もできないから、外観がすっきりとまとまる。特に、コーナバンパ７３に予め取り付けられたブラケット１００の両側板１０１がサイドバンパにおける被掛止板７５の内側部分１１０に差し込まれるから、接続強度をより高めることができる。
しかも、コーナバンパ７３は、第２サイドバンパ７２に予め接続しておいて、第２サイドバンパ７２の組み付けに伴って組み付けられるようになっているから、組み付けの作業がより能率的に行われる。
【００３８】
さらに、第２サイドバンパ７２にブラケット９１を装着する当たっては、第２サイドバンパ７２の内面にリブ７７を突設して、これらのリブ７７をブラケット９１の背面に当てるようにしたから、ブラケット９１は第２サイドバンパ７２の内側へのへこみを防止することにも有効に機能する。
また、コーナバンパ７３の内面にブラケット１００を取り付ける当たっては、コーナバンパ７３の内面にボス１０５を突設して、ブラケット１００の取付板１０２をそのボス１０５に当ててネジ１０７で固定するようにしたから、コーナバンパ７３の補強を図ることができる。
また、第１サイドバンパ７１を取り付けるためのブラケットは、内外一対のブラケット７９，８０により構成され、両ブラケット７９，８０の間に機械室のパネル３Ａの脚片８３を挟んで共締めにより固定するようにしたから、パネル３Ａの取付構造を簡略化することができる。
【００３９】
以上説明したように本実施形態によれば、下部バンパ４と上部バンパ５のいずれにおいても、各バンパ２１〜２３または７１〜７３が、それぞれの上端側を相手のブラケットに引っ掛け、下面側をブラケットにネジ止めするようになっているから、強固な取り付けを担保した上でネジ止め箇所を減少させ、もって取付作業を能率良く行うことができる。
【００４０】
＜第２実施形態＞
次に、本発明の第２実施形態を図２５ないし図３１によって説明する。この第２実施形態では、機械室３の組付構造をより詳細に開示している。この機械室３内には、上記した冷蔵室１０内を冷却するための冷凍機や、温蔵室１１内を加熱するための加熱ユニット等が収容されるようになっている。また、この機械室３は、第１実施形態に示した上部バンパ５と絡めて組み付けられるようになっているから、第１実施形態と共通の部品については、同一符号を付して説明する。
【００４１】
機械室３は、図２５に示すように、フロントパネル１２１、リアパネル１２２、左右のサイドパネル１２３，１２４及びトップパネル１２５の５枚のパネルから形成されるようになっている。
フロントパネル１２１とリアパネル１２２とは、樹脂材の真空成形品により形成されており、本体１の上面の前縁または後縁から上端がやや内方に傾いて立ち上がるように形成され、その上縁が内側に曲げられているとともに、左右の側縁が本体１の左右の側縁側に回り込むように屈曲されている。この屈曲部１２７は斜め姿勢に形成されているとともに、角の部分には丸みが付けられている。
両パネル１２１，１２２の下縁には、内方に引っ込んだ位置から下向きの脚片８３が突設されている（図２９参照）。また、上縁から側縁の屈曲部分の端縁には、一段下がった状態で受部１２９が形成されている。
なお、フロントパネル１２１には、機械室３内に収容される操作部（図示せず）を外部に臨ませて操作するための操作窓１３０が開口されている。また、リアパネル１２２には、冷凍機を冷却するために外気を導く吸気口１３１が形成されている。
【００４２】
左右のサイドパネル１２３，１２４は、鋼板に塗装を施したものから形成されている。このパネル１２３，１２４は、本体１の上面の左右の側縁に、上端側を内方に傾倒させた斜め姿勢で取り付けられるようになっており、両側縁が上記したフロントパネル１２１とリアパネル１２２の受部１２９の斜め部分上に載置可能な幅を有しており、また上端側は、受部１２９の角の部分にも載置されるように屈曲されている。
両パネル１２３，１２４の下縁には、図３１（Ｄ）に示すように、真下に垂下したのち、外側の斜め上方に屈曲された掛止部１３５を有する脚片１３３が形成されている。
【００４３】
右側のサイドパネル１２４には、漏電ブレーカ１３６が装備されているとともに、電源コード１３７を収容する収容部１３８が設けられている。この収容部１３８は、図２７に示すように、サイドパネル１２４に開口１３９が形成され、その裏側に、一面に開口した箱体１４０をフランジ１４１にネジ止めして固定することで形成されており、箱体１４０の一側面の挿通孔１４２から電源コード１３７が引き出されて、折り畳まれた状態で収容可能とされている。
なお、サイドパネル１２４が垂直に立っていて、電源コード１３７の落下が懸念される場合は、図２８に示すように、収容部１３８Ａの開口１３９Ａを狭くしておけばよい。
【００４４】
最後にトップパネル１２５は、アルミ板に塗装を施したものから形成され、その周縁が、上記したフロントパネル１２１とリアパネル１２２の受部１２９と、両サイドパネル１２３，１２４の上縁に載置可能な方形状に形成されている。このトップパネル１２５には、上記した冷凍機を冷却した後の排熱を排出するための排気口１４４が形成されている。
【００４５】
続いて、機械室３の組み付け手順を上部バンパ５と併せて説明する。
本体１の上面の前縁と後縁には、図２６に示すように、フロントパネル１２１とリアパネル１２２の取付箇所が長さ方向に沿って５カ所ずつ設定されていて、それぞれに内ブラケット７９が取り付けられる。前縁側を説明すると、フロントパネル１２１の脚片８３が５個の内ブラケット７９の外面側に当てられ、５箇所のうちで両端から１つ内側の２箇所では、前記の図１７に示すように、脚片８３の外側に外ブラケット８０が当てられてネジ８５で共締めされ、他の３箇所では、図２９に示すように、脚片８３が内ブラケット７９に対して直接にネジ８５で固定される。
そののち、第１サイドバンパ７１が図１７に示すように、上縁側を外ブラケット８０に引っ掛けつつ、下辺を外ブラケット８０に底板にネジ１１３で止められて固定される。
後縁側でも、上記と同様の手順によって、リアパネル１２２と第１サイドバンパ７１とが取り付けられる。
【００４６】
次に、第２サイドバンパ７２の両端にコーナバンパ７３を一体結合したものが取り付けられる。第２サイドバンパ７２とコーナバンパ７３には予めブラケット９１，１００が取り付けられている。このコーナバンパ７３を一体結合した第２サイドバンパ７２が、既述したように、本体１の上面の左右の側縁から押し込まれて、その端部が先に取り付けられている第１サイドパンパ７１の端部に差し込まれて結合され、第２サイドバンパ７２とコーナバンパ７３のブラケット９１，１００を本体１の上面にネジ止めして固定される。
【００４７】
続いて、左右のサイドパネル１２３，１２４が取り付けられる。サイドパネル１２３，１２４を取り付けるに当たっては、図３１（Ａ）のように、サイドパネル１２３，１２４を裏返しの姿勢として、同図（Ｂ）のように脚片１３３の掛止部１３５を第２サイドバンパ７２の被掛止板７５の表面に当て、続いて、同図（Ｃ）のように、サイドパネル１２３，１２４を起こすと、脚片１１３の掛止部１３５の先端が、ブラケット９１の掛止板９２の裏側に回り込む。さらにサイドパネル１２３，１２４を起こして、その両縁を、先に取り付けられているフロントパネル１２１とリアパネル１２２の受部１２９に当たるまで（図３０参照）倒すと、図３１（Ｄ）のように、脚片１３３の垂下部１３４と掛止部１３５とが、第２サイドバンパ７２の被掛止板７５とブラケット９１の掛止板９２とを挟むようにして、移動不能に掛止される。
【００４８】
最後にトップパネル１２５が、その周縁を、フロントパネル１２１とリアパネル１２２の受部１２９と、両サイドパネル１２３，１２４の上縁に合わせて載せられる。そして、トップパネル１２５の前縁と後縁に沿って形成された挿通孔１４６を通して、受部１２９に形成されたネジ孔１４７にネジを螺合して締め付けることにより、トップパネル１２５がサイドパネル１２３，１２４の上端を挟みつつフロントパネル１２１とリアパネル１２２に固定される。
以上により、上部バンパ５ともども機械室３の組み付けが完了する。
【００４９】
この第２実施形態では、機械室３を組み付ける場合に、フロントパネル１２１とリアパネル１２２とを外部側からネジ止めできるようにしたから、作業がしやすい。また、サイドパネル１２３，１２４は、その下縁側については引っ掛け構造で支持するようにしたから、ネジ等の数が減少できて、組み付けが短時間で行える。しかも、引っ掛け構造については、第２サイドバンパ７２を取り付けるためのブラケット９１並びに第２サイドバンパ７２を利用するようにしたから、部品点数の増加を招くことがない。
また、機械室３の角部には丸みがつけてあるから、外観上柔らかなイメージを与えることができる。
【００５０】
＜第３実施形態＞
続いて、本発明の第３実施形態を図３２ないし図３６によって説明する。この第３実施形態では、冷蔵室１０と温蔵室１１の組が横方向に３組並んで設けられた温冷配膳車の上部に設けられた機械室１５０を例示している。したがって機械室１５０は、第２実施形態のものと比べると、正面から見た横幅が大きく、かつ扁平な箱形に形成されている。
【００５１】
機械室１５０は、図３２に示すように、フロントパネル１５１、リアパネル１５２、左右のサイドパネル１５３，１５４及びトップパネル１５５の５枚のパネルから形成されるようになっている。
フロントパネル１５１とリアパネル１５２とは、鋼板に塗装を施したものから形成され、ほぼチャンネル形状とされている。両パネル１５１，１５２には、長さ方向の両端部に掛止板１５７が設けられている。この掛止板１５７は詳細には、図３４に示すように、上板と底板の突出縁の間に縦方向にわたされて固定されている。
【００５２】
一方、本体１Ａの上面の前縁と後縁における両端部の計４箇所には、Ｌ型ブラケット１５８がネジ１５９で止められて立設されている。各Ｌ型ブラケット１５８には、所定の高さ位置において上下２本のネジカラー１６０が頭部を外側に向けた姿勢で螺着されている。また、パネル１５１，１５２の掛止板１５７には、上下のネジカラー１６０と同じ間隔を開けて、上下一対の掛止孔１６１が形成されている。各掛止孔１６１は、ネジカラー１６０の軸部が挿通可能な小径部１６１Ａと、頭部が挿通可能な大径部１６１Ｂとを上下に連設した形状である。
【００５３】
また、両パネル１５１，１５２の上板の突出縁には、一段低くなった受部１６３が形成されている。さらに、両パネル１５１，１５２の底板の両端は、逃がし用に切欠部１６４が形成されている。
なお、フロントパネル１５１には、機械室１５０内に収容される操作部（図示せず）を外部に臨ませて操作するための操作窓１３０や、電源コード１３７を収容する収容部１３８が設けられている。一方、リアパネル１５２には、機械室１５０内に装備される冷凍機（図示せず）を冷却するために外気を導く吸気口１３１が形成されている。
【００５４】
左右のサイドパネル１５３，１５４は樹脂材の真空成形品により形成されており、上記のフロントパネル１５１とリアパネル１５２と比べると、下端側が延ばされて全体として背の高いものとなっている。また、上縁が内側に曲げられているとともに、左右の側縁が本体１Ａの前後の端縁側に回り込むように屈曲されており、角の部分には丸みが付けられている。上縁から側縁の屈曲部の先端側には、外表面から所定寸法引っ込んだ位置において、門型状にリブ１６６が立てられている。
また、下縁の内面側の両端部には、取付板１６７が形成されている。
【００５５】
最後にトップパネル１５５は、アルミ板に塗装を施したものから形成され、その周縁が、上記したフロントパネル１５１とリアパネル１５２の受部１６３と、両サイドパネル１５３，１５４の上側のリブ１６６上に載置可能な方形状に形成されている。このトップパネル１５５には、上記した冷凍機を冷却した後の排熱を排出するための排気口１４４等が形成されている。
【００５６】
続いて、機械室１５０の組付手順を上部バンパ５と合わせて説明する。なお、上部バンパ５自体の構造並びに取り付け方法は、前記した第１及び第２実施形態とほぼ同様であるから、第１及び第２実施形態と同一符号を付し、また説明も簡単に留める。まず、図３３にも示すように、本体１Ａの上面の四隅に、フロントパネル１５１とリアパネル１５２の取付用のＬ型ブラケット１５８が立てられるとともに、図３２に示すように前縁と後縁に沿って３箇所ずつブラケット１７０が取り付けられる。このブラケット１７０は、前記実施形態における第２サイドバンパ７２の掛止用のブラケット９１と同様に上縁に掛止板９２の設けられた形状である。
【００５７】
先に、上部バンパ５が組み付けられる。まず、前後の第１サイドバンパ７１が、その上縁を掛止板９２に引っ掛けつつブラケット１７０に当てられ、下辺をブラケット１７０の底板にネジ止めして固定される。次に、第２サイドバンパ７２の両端にコーナバンパ７３を一体結合したものが取り付けられる。第２サイドバンパ７２のうち、右側の第２サイドバンパ７２Ａには、その内面に補強板１７１が装着される。一方の左側の第２サイドバンパ７２には、予めブラケット９１が取り付けられる（図２２参照）。また、各コーナバンパ７３には予めブラケット１００が取り付けられる。このコーナバンパ７３を一体結合した第２サイドバンパ７２が、本体１Ａの上面の左右の側縁から押し込まれて、その端部が先に取り付けられている第１サイドパンパ７１の端部に差し込まれて結合され、左側では、第２サイドバンパ７２とコーナバンパ７３のブラケット９１，１００を本体１Ａの上面にネジ止めして固定され、また右側では、コーナバンパ７３のブラケット１００が本体１Ａの上面に固定されるとともに、このブラケット１００と補強板１７１とが結合される。
【００５８】
続いて、左右のサイドパネル１５３，１５４が取り付けられる。両サイドパネル１５３，１５４は第２サイドバンパ７２の内側に入れられて、下面の両端の取付板１６７が本体１Ａの上面に当てられる。係る状態で、取付板１６７が上方から本体１Ａの上面にネジ止めされて固定される。
【００５９】
次に、フロントパネル１５１とリアパネル１５２とが取り付けられる。これらのパネル１５１，１５２は、図３５に示すように、掛止板１５７に設けられた掛止孔１６１の大径部１６１Ｂを、Ｌ型ブラケット１５８のネジカラー１６０の頭部に合わせて嵌め込み、引き続いて下方に下げると、図３６に示すように、掛止孔１６１の小径部１６１Ａにネジカラー１６０の軸部が嵌り込んで、外方への抜け止め状態に支持される。この間、パネル１５１，１５２は、切欠部１６４を通して、その左右両側縁がサイドパネル１５３，１５４の縦側のリブ１６６に沿うように下がり、下降位置まで下がったときは、上板の左右両側縁がリブ１６６の角の部分に載った状態となり、上方からネジにより固定される。これにより、フロントパネル１５１、リアパネル１５２とサイドパネル１５３，１５４との間で連続した周面が形成される。
【００６０】
最後にトップパネル１５５が、その周縁を、フロントパネル１５１とリアパネル１５２の受部１６３と、両サイドパネル１５３，１５４の横方向のリブ１６６に合わせて載せられる。そして、トップパネル１５５の周縁に沿って形成された都合８箇所の挿通孔１７３を通して、受部１６３及びリブ１６６に形成されたネジ孔１７４にネジを螺合して締め付けることにより、トップパネル１５５がフロントパネル１５１、リアパネル１５２及び左右のサイドパネル１５３，１５４に固定される。
以上により、上部バンパ５ともども機械室１５０の組み付けが完了する。
【００６１】
この第３実施形態では、フロントパネル１５１とリアパネル１５２とをＬ型ブラケット１５８のネジカラー１６０に引っ掛けて支持する構造としたから、その取り付けを短時間で行うことができる。また、機械室１５０の角部には丸みがつけてあるから、外観上柔らかなイメージを与えることができる。
【００６２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）バンパが本体の底部と天井部のいずれか一方のみに設けられたものも本発明に含まれる。
（２）本発明は配膳車に限らず、バンパを備えた物品収納台車全般に広く適用することが可能である。
【図面の簡単な説明】
【図１】本発明の第１実施形態に係る温冷配膳車の外観斜視図
【図２】本体内の構造を示す一部切欠斜視図
【図３】温冷配膳車の側面図
【図４】下部バンパの取付態様を示す概略平面図
【図５】第１サイドバンパの取付位置付近の構造を示す分解斜視図
【図６】コーナバンパの取付構造を示す分解斜視図
【図７】コーナバンパとサイドバンパとの接続構造を示す斜視図
【図８】第１サイドバンパの取付態様を示す概略平面図
【図９】第１サイドバンパの押し込み動作を示す側面図
【図１０】その上動動作を示す側面図
【図１１】その固定動作を示す側面図
【図１２】第２サイドバンパとコーナバンパの取付態様を示す概略平面図
【図１３】コーナバンパの取付動作を示す断面図
【図１４】コーナバンパの固定状態を示す断面図
【図１５】上部バンパの取付態様を示す概略平面図
【図１６】第１サイドバンパの取付位置付近の構造を示す分解斜視図
【図１７】第１サイドバンパの固定状態を示す断面図
【図１８】第２サイドバンパの取付位置付近の構造を示す分解斜視図
【図１９】コーナバンパの取付構造を示す分解斜視図
【図２０】ブラケットを取り付けたコーナバンパの平面図
【図２１】コーナバンパとサイドバンパとの接続構造を示す斜視図
【図２２】第２サイドバンパにコーナバンパを接続した状態の斜視図
【図２３】第２サイドバンパの取付動作を示す斜視図
【図２４】その固定動作を示す断面図
【図２５】本発明の第２実施形態に係る機械室の分解斜視図
【図２６】機械室の形成部分の概略平面図
【図２７】電源コードの収容室の分解斜視図
【図２８】収容室の変形例の断面図
【図２９】フロントパネルとリアパネルの下縁の取付部分の断面図
【図３０】サイドパネルの下縁の取付部分の断面図
【図３１】サイドパネルの取付手順を示す断面図
【図３２】本発明の第３実施形態に係る機械室の分解斜視図
【図３３】機械室の形成部分の概略平面図
【図３４】フロントパネルとリアパネルの掛止構造を示す分解斜視図
【図３５】フロントパネルとリアパネルの掛止前の状態の断面図
【図３６】その掛止後の断面図
【符号の説明】
１…本体  ２…キャスタ  ３Ａ…パネル  ４…下部バンパ  ５…上部バンパ  ２１…第１サイドバンパ  ２１Ａ…上辺  ２１Ｂ…下辺  ２２…第２サイドバンパ  ２３…コーナバンパ  ２７…リブ  ２８…垂下板  ２９…被掛止部  ３１…補強板  ３５…ブラケット  ３５Ｂ…下取付板  ３７…掛止部  ４５…ストッパ板  ４６…被掛止部  ４８…ボス  ５４…ブラケット  ５６…ストッパ孔  ５９…挿通孔  ６０…ボルト  ６１…ネジ孔  ６２…ボルト  ７１…第１サイドバンパ  ７２…第２サイドバンパ  ７３…コーナバンパ  ７５…被掛止板  ７６…切欠溝  ７７…リブ  ７９…内ブラケット  ８０…外ブラケット  ８２…掛止板  ８３…脚片  ９１…ブラケット  ９２…掛止板  ９３…ネジ  １００…ブラケット  １０５…ボス  １１３…ネジ  ３…機械室  １２１…フロントパネル  １２２…リアパネル  １２３，１２４…サイドパネル  １２５…トップパネル  １３３…脚片  １３５…掛止部  １５０…機械室  １５１…フロントパネル  １５２…リアパネル  １５３，１５４…サイドパネル  １５５…トップパネル  １５７…掛止板  １５８…Ｌ型ブラケット  １６０…ネジカラー  １６１…掛止孔
【図１】
0003606758.tif 000002
【図２】
0003606758.tif 000003
【図３】
0003606758.tif 000004
【図４】
0003606758.tif 000005
【図５】
0003606758.tif 000006
【図６】
0003606758.tif 000007
【図７】
0003606758.tif 000008
【図８】
0003606758.tif 000009
【図９】
0003606758.tif 000010
【図１０】
0003606758.tif 000011
【図１１】
0003606758.tif 000012
【図１２】
0003606758.tif 000013
【図１３】
0003606758.tif 000014
【図１４】
0003606758.tif 000015
【図１５】
0003606758.tif 000016
【図１６】
0003606758.tif 000017
【図１７】
0003606758.tif 000018
【図１８】
0003606758.tif 000019
【図１９】
0003606758.tif 000020
【図２０】
0003606758.tif 000021
【図２１】
0003606758.tif 000022
【図２２】
0003606758.tif 000023
【図２３】
0003606758.tif 000024
【図２４】
0003606758.tif 000025
【図２５】
0003606758.tif 000026
【図２６】
0003606758.tif 000027
【図２７】
0003606758.tif 000028
【図２８】
0003606758.tif 000029
【図２９】
0003606758.tif 000030
【図３０】
0003606758.tif 000031
【図３１】
0003606758.tif 000032
【図３２】
0003606758.tif 000033
【図３３】
0003606758.tif 000034
【図３４】
0003606758.tif 000035
【図３５】
0003606758.tif 000036
【図３６】
0003606758.tif 000037